(57)【要約】【課題】  本考案は、延長コードのタップ部分は大体が直置き使用で、作業するには繋いだコードが下であると大変使い辛く不便であるので、タップ部分を上部に設ける為に、延長コードの一部をスタンドとする。残りのコードは、本体に収納し保管すると安全で危険防止にもなる。【解決手段】  本考案は、延長コードのタップ部分を上部に設ける為に一部スタンドにする。スタンド本体の最上部には持ち運びを容易にする為のフックを取り付け、下方には両サイドにアーム、次に数口タップをはめ込み、中心のポールは二本を合わせ、高さ調整できるように伸縮調節部を設け、ネジにより強弱を操作しポールを固定する。底部は上部を支える為安定した台にする。電源使用の際には、底部の後方から出た延長コードのプラグを電源コンセントに差し込むことで通電可能となる。使用後は、底部から伸びたコードを後方のフックに巻き付け、安全な場所に保管することで危険防止に役立つ。【選択図】    図１
0003120547.tif 000002
【実用新案登録請求の範囲】
【請求項１】
延長コードのタップ部分を上部に設ける為、延長コードの一部をスタンドとすることを特徴とする。スタンド本体の最上部にフック、その下の両サイドにコードを掛けるアーム又、その下には数口タップをはめ込み、本体は高さ調整をするためポール二本を合わせて伸縮とし、伸縮調節部を途中に設けネジにより固定する。底部は安定した台とする。本体使用時は、底部の後方から出た延長コードのプラグを電源コンセントに差し込み通電する。未使用時は本体の背部に取り付けたフックにコードを巻き付け保管する。
【請求項２】
延長コードのタップ部分を上部に設ける為、延長コードの一部をスタンドとし、スタンド外に出たコードは内部のコードリールで巻き取りが出来ることを特徴とする。スタンド本体の最上部にフック、その下の両サイドにコードを掛けるアームを取り付ける。又、その下には数口のタップをはめ込み、本体は高さ調整するためポール二本で伸縮とし、伸縮調節部を途中に設けネジにより固定する。底部は安定した台とするが、内部はコードリールでコード巻き取りとする。その結果、より安全になり見た目スッキリとしたデザインであることも特徴となる。
【考案の詳細な説明】
【技術分野】
【０００１】  本考案は、延長コードを一部スタンドにする電機器具に関するものである。
【背景技術】
【０００２】  延長コードを使用する場合、大体が直置きで、足元にタップがある為に机や座卓の上での上方の作業の場合、繋いだコードが下に長く垂れ下がった状態で、手元が重く使用には大変不便であり使い辛い。又使用後は、そのままの延長コードを放置していることも多々あり大変危険である。
【考案の開示】
【考案が解決しようとする課題】
【０００３】  延長コードは、タップが直置きよりも、手元より上にある方が使用するのも作業するのも腕を動かし易く大変便利である。使用後は安全な場所に持ち運び保管できることが、前述の欠点を解決しようとするものである。
【課題を解決するための手段】
【０００４】  本考案は、延長コードのタップ部分を直置きでなく、作業に楽な上方に位置にすることである。その為には、作業する高さに対応できるように、タップを上方に固定するスタンドを作ることである。スタンドは、本体の最上部にフック、その下の両サイドにアームを取り付け、タップに接続した電気コードをアームに掛けて、より使用を容易にするものである。その下に数口タップを取り付ける。スタンドの中心であるポールは上部が伸縮自在で、途中に伸縮調節部を設けネジで操作し固定する。底部は安定した台にする。電源使用の際は、底部の後方から出た延長コードのプラグを電源コンセントに差し込み通電する。未使用時は、余分なコードを本体に収納し最上部のフックを持ち、楽に安全な場所に保管できることで、上述の問題を解決する。
【考案の効果】
【０００５】  本考案で、延長コードのタップの位置を、調整可能なスタンドにしたことにより、手元での作業時の電気コードが使用に楽な位置から伸び、今までの様に下でと言う不便さが解消され、コードが重くもなく邪魔にならず大変使い易い便利なものになる。コードもそのまま直置きで放置されていた場合、特に小さい子供やペットがいる家庭では、玩具と間違い噛む等の危険行為も考えられるため、コードは本体に収納し、本体と共に安全な場所に保管できることが危険防止につながる。
【考案を実施するための最良の形態】
【０００６】  本考案の、延長コードのスタンドは、最上部にフック、その下に柄をその両サイドにはアーム部を確保し、電気コード使用の場合は、コードをこのアーム部分に掛けると手元作業がより動かし易く楽になる。形としてその下にタップを取り付けるが、その場合数口にしたほうが同時に他でも使えるので便利である。スタンドは使い易い高さに調整して使用するので、中心となるポールは太さの少し違うサイズのしっかりとした素材の物二本で合わせ、伸縮調整部を途中に設け強弱ネジにてしっかり固定する。底部は安定した台にする。スタンド外の延長コードは後部のフック又は底部の中にコードリールで収納して、移動には上部のフックを持ち安全な場所に保管する。
【実施例】
【０００７】  以下、添付図面に従って一実施例を説明する。１は耐久性プラスチック等適宜素材のフックを付け持ち運びに使用するものである。下方の両方にアームを設け電気コードが掛けられるようにする。２は、はめ込みされたタップ数口を固定。３は耐久性プラスチック等適宜素材のポール二本を合わせ伸縮可能とする。４は耐久性プラスチック等適宜素材の強弱調整ネジでポールを締め、高さ調節を固定するものである。５は底部で上部ポールを安定させるための素材を使用した台である。６は延長コードにプラグ。７は耐久性プラスチック等適宜素材で作られたフックでコードを巻き付け保管する。【０００８】  以下、添付図面に従って二実施例を説明する。１は耐久性プラスチック等適宜素材のフックを付け持ち運びに使用するものである。下方の両方にアームを設け電気コードが掛けられるようになる。２は、はめ込みされたタップ数口を固定。３は耐久性プラスチック等適宜素材のポール二本を合わせ伸縮可能とする。４は耐久性プラスチック等適宜素材の強弱調整ネジでポールを締め、高さ調節を固定するものである。５は底部で上部ポールを安定させるための素材を使用した台である。６は延長コードにプラグ。８は延長コード巻き取りスイッチ。９は延長コードの収納口でプラグは出ている。１０は内部のコードリールである。
【図面の簡単な説明】
【０００９】
【図１】本考案のスタンド延長コードに一実施例を示す正面図と側面図である。
【図２】本考案のスタンド延長コードに二実施例を示す正面図である。
【符号の説明】
【００１０】  １    フックとアーム（数種類）
２    複数数口タップ（縦型、横型、丸型、四角型、五角型）
３    伸縮ポール
４    伸縮強弱調整ネジ
５    底部の台      （数種類）
６    延長コードにプラグ
７    延長コード巻き付けフック
８    延長コード巻き取りスイッチ
９    延長コード収納口
１０    内部コードリール
【図１】
0003120547.tif 000003
【図２】
0003120547.tif 000004
【手続補正書】
【提出日】平成18年1月26日(2006.1.26)
【手続補正１】
【補正対象書類名】実用新案登録請求の範囲
【補正対象項目名】全文
【補正方法】変更
【補正の内容】
【実用新案登録請求の範囲】
【請求項１】
台座とその上に垂直に伸びた伸縮ポールを有するスタンド型電源タップにおいて、  前記伸縮ポールの上に設けられ、プラグを差し込むための電源タップを取り付けた電源タップ部と、  前記電源タップ部の上に設けられ、本体を持ち上げるための下向き凹部形状を有するフック部とコードを掛けるための上向き凹部形状を有するアーム部とからなるフック・アーム部とを備え、  前記伸縮ポールは、台座に固定された第１のポールと、前記第１のポールに伸縮調節部を介して結合される第２のポールとからなることを特徴とするスタンド型電源タップ。
【請求項２】
前記第１のポールの背部には電源コードを巻き付け保管するためのフックを有することを特徴とする請求項１に記載のスタンド型電源タップ。
【請求項３】
台座とその上に垂直に伸びた伸縮ポールを有するスタンド型電源タップにおいて、  前記伸縮ポールの上に設けられ、プラグを差し込むための電源タップを取り付けた電源タップ部と、  前記電源タップ部の上に設けられ、コードを掛けるための上向き凹部形状を有するアーム部とを備え、  前記伸縮ポールは、台座に固定された第１のポールと、前記第１のポールに伸縮調節部を介して結合される第２のポールとからなることを特徴とするスタンド型電源タップ。
【請求項４】
前記台座の内部にはコードを巻き取るためのコードリールを有することを特徴とする請求項３に記載のスタンド型電源タップ。
【手続補正２】
【補正対象書類名】明細書
【補正対象項目名】全文
【補正方法】変更
【補正の内容】
【考案の詳細な説明】
【技術分野】
【０００１】  本考案は、電源タップからの延長コードを高い位置から引き出すためのスタンド型電源タップに関するものである。
【背景技術】
【０００２】  延長コードを使用する場合、大体が直置きで、足下にタップがある為に机や座卓の上での上方の作業の場合、繋いだコードが下に長く垂れ下がった状態で、手元が重く使用には大変不便であり使い辛い。又使用後は、そのままの延長コードを放置していることも多々あり大変危険である。
【考案の開示】
【考案が解決しようとする課題】
【０００３】  本件は、タップが直置きよりも、手元にある方が使用するのも作業するのも腕を動かし易く大変便利である。使用後は安全な場所に持ち運び保管できることが、前述の欠点を解決しようとするものである。
【課題を解決するための手段】
【０００４】  第１の本考案は、台座とその上に垂直に伸びた伸縮ポールを有するスタンド型電源タップにおいて、前記伸縮ポールの上に設けられ、プラグを差し込むための電源タップを取り付けた電源タップ部と、前記電源タップ部の上に設けられ、本体を持ち上げるための下向き凹部形状を有するフック部とコードを掛けるための上向き凹部形状を有するアーム部とからなるフック・アーム部とを備え、前記伸縮ポールは、台座に固定された第１のポールと、第１のポールに伸縮調節部を介して結合される第２のポールとからなることを特徴とする。【０００５】  第２の本考案は、前記第１の考案において、前記第１のポールの背部には電源コードを巻き付け保管するためのフックを有することを特徴とする。【０００６】  第３の本考案は、台座とその上に垂直に伸びた伸縮ポールを有するスタンド型電源タップにおいて、前記伸縮ポールの上に設けられ、プラグを差し込むための電源タップを取り付けた電源タップ部と、前記電源タップ部の上に設けられ、コードを掛けるための上向き凹部形状を有するアーム部とを備え、前記伸縮ポールは、台座に固定された第１のポールと、第１のポールに伸縮調節部を介して結合される第２のポールとからなることを特徴とする。【０００７】  第４の本考案は、前記第３の考案において、前記台座の内部にはコードを巻き取るためのコードリールを有することを特徴とする。
【考案の効果】
【０００８】  本考案で、延長コードのタップの位置を、調整可能なスタンドにしたことにより、手元での作業時の電気コードが使用に楽な上の位置から伸び、今までのように下から電気コードを引き出すという不便さが解消され、コードが重くもなく邪魔にならず大変使い易い便利なものになる。コードもそのまま直置きで放置されていた場合、特に小さい子供やペットがいる家庭では、玩具と間違い噛む等の危険行為も考えられるため、コードは本体に収納し、本体と共に安全な場所に保管できることが危険防止につながる。
【考案を実施するための最良の形態】
【０００９】  本考案の、延長コードのスタンドは、最上部にフック、その下にアーム部を確保し、電気コード使用の場合は、コードをこのアーム部分に掛けると手元作業がより動かし易く楽になる。形としてその下にタップを取り付けるが、その場合数口にしたほうが同時に他でも使えるので便利である。スタンドは使い易い高さに調整して使用するので、中心となるポールは太さの少し違うサイズのしっかりとした素材の物二本で合わせ、伸縮調整部を途中に設け強弱ネジにてしっかり固定する。底部は安定した台座にする。スタンド外の延長コードは後部のフック又は底部の台座中にコードリールで収納して、移動には上部のフックを持ち安全な場所に保管する。
【実施例１】
【００１０】第１実施例  図１は、第１実施例のスタンド型電源タップを示す図である。図１（Ａ）は正面図、図１（Ｂ）は側面図である。  以下、図１に従って第１実施例のスタンド型電源タップを説明する。１は耐久性プラスチック等適宜素材のフックを付け本体の持ち運びに使用するとともに、下方にアームを設け電気コードが掛けられるようにするフック・アーム部である。２は、タップ数口が設けられた電源タップ部である。このタップの並びは、縦型、横型、丸型、四角型、五角型等任意に配置することができる。３と１１は、それぞれ耐久性プラスチック等適宜素材の第２のポールおよび第１のポールであり、これらの第１のポールおよび第２のポールによって伸縮可能な伸縮ポールを構成する。４は耐久性プラスチック等適宜素材の強弱調整ネジで構成され、その強弱調整ネジでポールを締め、伸縮ポールの高さ調節を行う伸縮調節部である。５は底部で伸縮ポールを安定させる為の台座である。なお、台座の形状は図面以外の形状のもの、例えば、円柱形等の形状のものも本件考案に含まれる。６は延長コード１２の先端に付けられたプラグである。７は耐久性プラスチック等適宜素材で作られ、コードを巻き付け保管するフックである。【００１１】第２実施例  図２は、第２実施例のスタンド型電源タップを示す図である。  以下、図２に従って第２実施例のスタンド型電源タップを説明する。１は耐久性プラスチック等適宜素材のフックを付け本体の持ち運びに使用するとともに、下方にアームを設け電気コードが掛けられるようにするフック・アーム部である。２は、タップ数口が設けられた電源タップ部である。このタップの並びは、縦型、横型、丸型、四角型、五角型等任意に配置することができる。３と１１は、それぞれ耐久性プラスチック等適宜素材の第２のポールおよび第１のポールであり、これらの第１のポールおよび第２のポールによって伸縮可能な伸縮ポールを構成する。４は耐久性プラスチック等適宜素材の強弱調整ネジで構成され、その強弱調整ネジでポールを締め、伸縮ポールの高さ調節を行う伸縮調節部である。５は底部で伸縮ポールを安定させる為の台座である。６は延長コード１２の先端に付けられたプラグである。８は延長コード巻き取るためのボタンである。９は延長コードの収納口であり、プラグは常にこの収納口の外に出ている。１０は台座の内部に設けられるコードリールである。なお、台座の形状は図面以外の形状のもの、例えば、円柱形状のものも本件考案に含まれる。
【図面の簡単な説明】
【００１２】
【図１】本考案の第１実施例のスタンド型電源タップを示す正面図（Ａ）と側面図（Ｂ）である。
【図２】本考案の第２実施例のスタンド型電源タップを示す正面図である。
【符号の説明】
【００１３】    １    フック・アーム部    ２    電源タップ    ３    第１のポール    ４    伸縮強弱調整ネジ    ５    底部の台座    ６    延長コードにプラグ    ７    延長コード巻き付けフック    ８    延長コード巻き取りボタン    ９    延長コード収納口  １０    内部コードリール  １１    第２のポール  １２    延長コード
【手続補正３】
【補正対象書類名】図面
【補正対象項目名】全図
【補正方法】変更
【補正の内容】
【図１】
0003120547.tif 000005
【図２】
0003120547.tif 000006